(57)【要約】【課題】片方向パスのネットワークにおいて、双方向パスのネットワークと同様な、警報転送を行う。【解決手段】片方向パスのネットワークにおいて、複数の波長からなる波長多重リンクの特定の波長（λ０）を警報信号転送用の波長とし、通信中のパスに障害が発生したことを示す第１の警報信号（ＡＩＤ）を検出した際に、前記パスとは伝送方向が逆方向となるパスに対し、障害が発生したことを示す第２の警報信号（ＲＤＩ）を、障害が発生したパスの波長情報と共に転送する。【選択図】      図４
2004312152.tif 000002
【特許請求の範囲】
【請求項１】
片方向パスのネットワークにおいて、
複数の波長からなる波長多重リンクの特定の波長を警報信号転送用の波長とし、通信中のパスに障害が発生したことを示す第１の警報信号を検出した際に、前記パスとは伝送方向が逆方向となるパスに対し、障害が発生したことを示す第２の警報信号を、障害が発生したパスの波長情報と共に転送することを特徴とする片方向波長リンク警報転送方法。
【請求項２】
前記第１の警報信号を受けた際に、
障害が発生したパスに割り当てられた波長のＩＤと警報情報とをセットで転送することを特徴とする請求項１に記載の片方向波長リンク警報転送方法。
【請求項３】
前記第１の警報信号を受けた際に、
常時全波長分の警報を格納するタイムスロットを用いて転送することを特徴とする請求項１に記載の片方向波長リンク警報転送方法。
【請求項４】
受信端において、通信中のパスに障害が発生したことを示す第１の警報信号を検出する警報信号検出手段と、
前記警報信号検出手段から受け取った第１の警報信号に基づいて故障したパスを判定し、送信端に対して、故障したパスの波長情報とパスが故障したことを示す第２の警報信号を特定の警報信号転送用波長を用いて転送することを指示する制御手段と、
前記制御手段の指示に基づいて前記故障したパスの波長情報と第２の警報信号を前記特定の警報信号転送用波長を使用して転送する警報転送手段と、
を有することを特徴とする伝送端局装置。
【請求項５】
前記警報転送手段は、
障害が発生したパスに割り当てられた波長のＩＤと警報情報をセットで転送することを特徴とする請求項４に記載の伝送端局装置。
【請求項６】
前記警報転送手段は、
常時全波長分の警報を格納するタイムスロットを用いて転送することを特徴とする請求項４に記載の伝送端局装置。
【発明の詳細な説明】
【０００１】
【発明の属する技術分野】
本発明は、片方向波長リンク警報転送方法及び伝送端局装置に関する。
【０００２】
【従来の技術】
従来のＳＤＨ（Ｓｙｎｃｈｒｏｎｏｕｓ  Ｄｉｇｉｔａｌ  Ｈｉｅｒａｒｃｈｙ  ：ＳＤＨ）ネットワークの構成を図８に示す。同図に示すように、ＳＤＨネットワークは伝送端Ｐ、Ｑにおいて、双方向のリンクであり、上り用パス５００と下り用パス５０１が対になって制御、切り換えを行なうように構成されている。
【０００３】
図９に従来のＳＤＨのフレーム構造を示す。同図に示すように、ＳＤＨ信号のフレームはヘッダ６００と、ペイロード６０１とからなり、ヘッダ６００には、警報を転送する警報転送フィールド６００Ａが存在する。
次に、図１０に従来のＳＤＨネットワークにおいてパスに障害が発生した時の切り替えシーケンスを示す。同図において、故障の検出を行なった故障地点６００では、下流に対して、故障の発生を示すＡＩＳ（Ａｌａｒｍ  Ｉｎｄｉｃａｔｉｏｎ  Ｓｉｇｎａｌ：ＡＩＳ）信号を送る（シーケンスＳ１０）。
【０００４】
終端点（受信端）では、ＡＩＳ信号を受信すると、対となっているパスの伝送方向である逆方向（上流）に対してＲＤＩ（Ｒｅｍｏｔｅ  Ｄｅｆｅｃｔ  Ｉｎｄｉｃａｔｉｏｎ：ＲＤＩ）信号を返送し（シーケンスＳ１１）、このＲＤＩ信号を受信した反対の終端点（送信端）で故障個所を避けるようにパスの切換動作を行う（シーケンスＳ１２）。（例えば、特許文献１参照。）
【０００５】
【特許文献１】
特開平８−１７２４１４号公報
【０００６】
【発明が解決しようとする課題】
従来は、双方向リンクを前提に以上のプロトコルを作っていた。しかし、クライアント／サーバ型のトラヒック等は非対称性が大きく、場合によっては信号の分配等では完全に片方向リンクとなっている。例えば、ＩＰコネクションやＭＰＬＳは片方向リンクであり、双方向リンクの組み合わせによって実現している。
【０００７】
また、片方向リンクを前提としている場合は、ＳＤＨに実装されているＡＩＳ信号等による高速の切り替えが行えない欠点がある。
本発明はこのような事情に鑑みてなされたものであり、片方向パスのネットワークにおいて、双方向パスのネットワークと同様な、警報転送を行なうことができる片方向波長リンク警報転送方法及び伝送端局装置を提供することを目的とする。
【０００８】
【課題を解決するための手段】
上記目的を達成するために請求項１に記載の発明は、片方向パスのネットワークにおいて、複数の波長からなる波長多重リンクの特定の波長を警報信号転送用の波長とし、通信中のパスに障害が発生したことを示す第１の警報信号を検出した際に、前記パスとは伝送方向が逆方向となるパスに対し、障害が発生したことを示す第２の警報信号を、障害が発生したパスの波長情報と共に転送することを特徴とする。
【０００９】
また、請求項２に記載の発明は、請求項１に記載の片方向波長リンク警報転送方法において、前記第１の警報信号を受けた際に、障害が発生したパスに割り当てられた波長のＩＤと警報情報とをセットで転送することを特徴とする。
【００１０】
また、請求項３に記載の発明は、請求項１に記載の片方向波長リンク警報転送方法において、前記第１の警報信号を受けた際に、常時全波長分の警報を格納するタイムスロットを用いて転送することを特徴とする。
【００１１】
また、請求項４に記載の発明は、受信端において、通信中のパスに障害が発生したことを示す第１の警報信号を検出する警報信号検出手段と、前記警報信号検出手段から受け取った第１の警報信号に基づいて故障したパスを判定し、送信端に対して、故障したパスの波長情報とパスが故障したことを示す第２の警報信号を特定の警報信号転送用波長を用いて転送することを指示する制御手段と、前記制御手段の指示に基づいて前記故障したパスの波長情報と第２の警報信号を前記特定の警報信号転送用波長を使用して転送する警報転送手段とを有することを特徴とする。
【００１２】
また、請求項５に記載の発明は、請求項４に記載の伝送端局装置において、前記警報転送手段は、障害が発生したパスに割り当てられた波長のＩＤと警報情報をセットで転送することを特徴とする。
【００１３】
また、請求項６に記載の発明は、請求項４に記載の伝送端局装置において、前記警報転送手段は、常時全波長分の警報を格納するタイムスロットを用いて転送することを特徴とする。
【００１４】
【発明の実施の形態】
以下、本発明の実施の形態を、図面を参照して説明する。本発明の実施形態に係る片方向波長リンク警報転送方法における波長割り当てを図１に示す。
波長多重リンクの特定の波長（λ０）を制御用波長と定義する。その他の波長（λ１〜λｎ）は、信号転送用波長である。今、信号転送は、片方向のＳＤＨとして行う。上りと下りの波長で、上りのλ１と下りのλ１は対ではない。
【００１５】
つまり、図２に示す従来の非対称ネットワークの構成例において、終端点Ａからの信号が伝送される波長λ１が割り当てられた上りのパスと、波長λ１が割り当てられた下りのパスとは異なる地点の終端点に接続している。図２において、終端点Ａに接続された波長λ１が割り当てられたパスは、伝送端局装置１、中継局装置２、伝送端局装置３を介して終端点Ｂに接続され、波長λ１が割り当てられた上りのパスは、伝送端局装置３より中継局装置２を介して終端点Ｄに接続されている。
【００１６】
したがって、図２の例で波長λ１が割り当てられた下りのパスに故障点４からＡＩＳ信号を送出しても、ＡＩＳ信号を受け取った伝送端局装置３が、波長λ１が割り当てられた上りのパスにＲＤＩ信号を転送すると、終端点ＤがＲＤＩ信号を受けとってしまい、終端点ＡにはＲＤＩ信号は転送されない。
【００１７】
次に、図３に本発明の上りの制御用波長λ０を使用して伝送される制御データの構成を示す。波長λ０は、制御専用の波長であり、下りの信号転送用波長λ１〜λｎまでに対応する警報転送用の波長である。同図に示すように、警報転送用の制御データは、波長を識別するためのＩＤである波長インジケータＩ１，Ｉ２，…と、各波長に対応する警報フィールドＦ１，Ｆ２，…とからなる。この警報フィールドは、その波長が割り当てられたパスに障害が発生した状態を示すデータ領域である。
【００１８】
波長インジケータＩ１が示す下り波長＃１（λ１）に対応する警報フィールドＦ１にはλ１用のＲＤＩ信号が搭載される。同様に波長インジケータＩ２が示す下り波長＃２（λ２）には警報フィールドＦ２が対応し、警報フィールドＦ２にはλ２用のＲＤＩ信号が搭載される。以下、下り波長＃３（λ３）〜＃ｎ（λｎ）の各波長についても同様である。
【００１９】
このように、本実施形態では、警報信号を受けた際に、障害が発生したパスに割り当てられた波長のＩＤと警報情報（ＲＤＩ）とをセットで転送するようにしている。図３の例では、波長インジケータとして＃１，＃２…とあり、警報が発生した場合のみ波長インジケータと警報フィールドに情報を載せるようにしている。
【００２０】
また、警報の有無に関係なく、警報フィールドを時分割的に割り当てて、警報フィールドが空な場合は正常であることが確認できるようにしてもよい。すなわち、片方向波長リンク警報転送方法において、警報信号（ＡＩＳ）を受けた際に、常時全波長分の警報信号（ＲＤＩ）を格納するタイムスロットを用いて上り方向に転送するようにしてもよい。
【００２１】
次に、本発明の実施形態に係る片方向波長リンク警報転送方法のパス切り替えシーケンスについて図４を参照して説明する。
波長λ２が割り当てられた下りパスで故障が発生すると、パスの下流に対して波長λ２を用いてＡＩＳ信号が受信端Ｙ側に転送される（シーケンスＳ１）。
受信端Ｙでは、警報信号（ＡＩＳ）を検出し（シーケンスＳ２）、上りの制御用波長λ０を用いて、波長インジケータλ２，警報ＲＤＩとして転送する（シーケンスＳ３）。
【００２２】
送信端Ｘでは、制御用波長λ０よりＲＤＩ信号を検出すると、その内容を解析して波長λ２が割り当てられた下りパスの前方での故障を検出し、波長λ２の切り替え指示を行ない（シーケンスＳ４）、波長λ２が割り当てられたパスを他のパスに切り替える（シーケンスＳ５）。
【００２３】
本発明の動作を検証するため、従来のネットワーク（図２）と同様のトポロジーでの警報転送を図７に示した。波長λ１（下り）のパスで伝送端局４０３側に伝送されたＡＩＳ信号は伝送端局装置４０３で波長λ０にマッピングされ、返信のＲＤＩ信号となり、このＲＤＩ信号は正確に終端点Ａに転送されたことがわかる。４０１は伝送端局装置、４０２は中継局装置である。
【００２４】
次に、本発明の実施形態に係る伝送端局装置の構成を図５に示す。同において、伝送端局装置１０は、送信端からの信号を受信する信号受信部１００と、処理部１０２と、警報転送部１０４とを有している。
信号受信部１００は、受信端において、通信中のパスに障害が発生したことを示すＡＩＳ信号を検出する機能を有する。
【００２５】
処理部１０２は、信号受信部１００から受け取ったＡＩＳ信号に基づいて故障したパスを判定し、送信端に対して、故障したパスを特定する波長情報とパスが故障したことを示す警報信号（ＲＤＩ）を特定の警報信号転送用波長を用いて転送することを指示する機能を有する。
警報転送部１０４は、処理部１０２の指示に基づいて故障したパスを特定する波長情報と警報信号（ＲＤＩ）を特定の警報信号転送用波長を使用して転送する警報転送手段とを有している。
【００２６】
なお、信号受信部１００は、本発明の警報信号検出手段に、処理部１０２は本発明の制御手段に、警報転送部１０４は本発明の警報転送手段に、それぞれ相当する。ＡＩＳ信号は本発明の第１の警報信号に、ＲＤＩ信号は本発明の第２の警報信号に、それぞれ相当する。
【００２７】
上記構成からなる受信端側に設けられた伝送端局装置１０の動作を、送信端側の動作も含めて図６を参照して説明する。ＳＤＨネットワークにおいて、下りのパスにおいて、障害が発生すると（ステップ２００）、故障点からその下りパスに割り当てられた波長を使用して警報信号（ＡＩＳ）が受信端側に転送される（ステップ２０１）。
【００２８】
一方、受信端側に設けられた伝送端局装置１０では、警報信号（ＡＩＳ）を受信したか否かを判定し（ステップ３００）、受信した場合には、制御用波長λ０を使用して警報信号（ＲＤＩ）を、障害が発生したパスを特定する波長情報とともに送信端側に転送する（ステップ３０１）。すなわち、障害が発生したパスに割り当てられた波長のＩＤと警報情報をセットで送信端側に転送する。
【００２９】
これに対して、送信端側では、警報信号（ＲＤＩ）を受信すると（ステップ２０２）、警報信号（ＲＤＩ）の内容を解析し（ステップ２０３）、障害が発生したパスを検出し（２８ステップ２０４）、障害が発生した下りのパスを他の空き状態にあるパスに切り替えるように切替動作を行う（ステップ２０５）。
【００３０】
なお、本発明の実施形態に係る伝送端局装置では、図３に示したデータフォーマットで制御用波長λ０を使用して警報転送するようにしているが、これに限らず、警報の有無に関係なく、警報フィールドを時分割的に割り当てて、警報フィールドが空な場合は正常であることが確認できるようにしてもよい。すなわち、片方向波長リンク警報転送方法において、警報信号（ＡＩＳ）を受けた際に、常時全波長分の警報信号（ＲＤＩ）を格納するタイムスロットを用いて上り方向に転送するようにしてもよい。
【００３１】
本発明の実施形態に係る片方向波長リンク警報転送方法及び伝送端局装置によれば、片方向パスのネットワークにおいても、双方向パスのネットワークと同様な警報転送を行うことが可能となり、極めて経済的で、かつ信頼性を有するネットワークを構築することができる。
【００３２】
【発明の効果】
本発明によれば、片方向パスのネットワークにおいても、従来の双方向の警報転送が行なえる。そのために、従来は高信頼で高速切り替えを必要とする場合は、双方向リンクを用いていたのを、本発明では片方向通信で実現でき、きわめて経済的な信頼性をもったネットワークを構築することが可能となる。
【図面の簡単な説明】
【図１】本発明の実施形態に係る片方向波長リンク警報転送方法における波長割り当てを示す説明図。
【図２】従来の非対称ネットワークの構成例を示す図。
【図３】上りの制御用波長を使用して伝送される制御データの構成を示す説明図。
【図４】本発明の実施形態に係る片方向波長リンク警報転送方法のパス切り替えシーケンスを示す図。
【図５】本発明の実施形態に係る伝送端局装置の構成を示すブロック図。
【図６】本発明の実施形態に係る伝送端局装置の動作を示すフローチャート。
【図７】本発明が適用される非対称ネットワークの構成を示す説明図。
【図８】従来のＳＤＨネットワークの構成を示す図。
【図９】従来のＳＤＨのフレーム構造を示す説明図。
【図１０】従来のＳＤＨネットワークにおいてパスに障害が発生した時の切り替えシーケンスを示す図。
【符号の説明】
１０…伝送端局装置
１００…信号受信部
１０２…処理部
１０４…警報転送部
【図１】
2004312152.tif 000003
【図２】
2004312152.tif 000004
【図３】
2004312152.tif 000005
【図４】
2004312152.tif 000006
【図５】
2004312152.tif 000007
【図６】
2004312152.tif 000008
【図７】
2004312152.tif 000009
【図８】
2004312152.tif 000010
【図９】
2004312152.tif 000011
【図１０】
2004312152.tif 000012